(57)【要約】【課題】視聴時における画像品質の低下を低減しながら焼き付きの緩和を行うことができる表示画面の焼き付き緩和装置及び焼き付き緩和表示方法を提供する。【解決手段】画面の焼き付き緩和を目的として行う画像の移動において、画素を構成するＲＧＢのサブピクセル単位で画像の表示位置を移動させる表示位置制御手段を備える。【選択図】図２
2007286216.tif 000002
【特許請求の範囲】
【請求項１】
画面の焼き付き緩和を目的として行う画像の移動において、画素を構成するＲＧＢのサブピクセル単位で画像の表示位置を移動させる表示位置制御手段を備えることを特徴とする表示画面の焼き付き緩和装置。
【請求項２】
前記画素の画素構成はストライプ配列であり、前記サブピクセル単位での画像の表示位置の移動により、画面上の縦の列が順次移動して画像が横方向に移動することを特徴とする請求項１に記載の表示画面の焼き付き緩和装置。
【請求項３】
前記画素の画素構成はストライプ配列以外の配列であり、前記サブピクセル単位での画像の表示位置の移動により、画像が所定の方向へ移動することを特徴とする請求項１に記載の表示画面の焼き付き緩和装置。
【請求項４】
画面の焼き付き緩和を目的として行う画像の移動において、画素を構成するＲＧＢのサブピクセル単位で画像の表示位置を移動させる表示位置制御ステップを含むことを特徴とする表示画面の焼き付き緩和方法。
【請求項５】
前記画素の画素構成はストライプ配列であり、前記サブピクセル単位での画像の表示位置の移動により、画面上の縦一列が順次移動して画像が横方向に移動することを特徴とする請求項４に記載の表示画面の焼き付き緩和方法。
【発明の詳細な説明】
【技術分野】
【０００１】
本発明は、プラズマディスプレイなどの表示装置における表示画面の焼き付き緩和装置及びその方法に関する。
【背景技術】
【０００２】
プラズマディスプレイなどの表示装置の画面焼き付きを緩和する手法については、従来さまざまな装置や表示方法が提案されている。
【０００３】
例えば、ディスプレイの焼き付きを緩和するため、画像の表示位置を画素（ドット）単位で上下左右に移動させる機能を有する表示装置が提案されている（例えば、特許文献１参照）。これは、表示位置を所定時間ごとに上下左右の任意方向に画素単位で移動させ、画面上の同位置部分の輝度を変化させることにより焼き付きを緩和するというものである。
【０００４】
図１は、従来の焼き付き緩和のための表示方法の原理を説明するための模式図である。周知のとおり、表示画面を構成する個々の画素（単位画素）は、最小単位である赤（Ｒ）、緑（Ｇ）、青（Ｂ）の三原色の蛍光体セルで形成されているが、図に示すように、従来は表示画像の位置を１画素単位で移動させていた。
【特許文献１】特開２０００−２２７７７５号公報（第２頁−第４頁、図１）
【発明の開示】
【発明が解決しようとする課題】
【０００５】
しかしながら、上記従来の焼き付き緩和のための表示方法は、１画素単位ではあっても視聴中に画像が移動するため、視聴時に映像がちらつくなどして、この焼き付き緩和方法を使用しない場合に比べて映像品質としては好ましくないという課題があった。特に、大型画面のディスプレイでは、１画素のサイズが小型画面のディスプレイよりも大きくなるので、例え１画素単位の移動であっても、この移動による映像のちらつきなどによる映像品質の低下がより大きな問題となってくる。
【０００６】
すなわち、本発明が解消しようとする課題としては、視聴時における映像品質の低下を抑えて焼き付きの緩和を行うことができる表示画面の焼き付き緩和装置及び焼き付き緩和表示方法を提供することがその一例として挙げられる。
【課題を解決するための手段】
【０００７】
請求項１に記載の表示画面の焼き付き緩和装置は、画面の焼き付き緩和を目的として行う画像の移動において、画素を構成するＲＧＢのサブピクセル単位で画像の表示位置を移動させる表示位置制御手段を備えることを特徴とする。
【０００８】
また、請求項４に記載の表示画面の焼き付き緩和方法は、画面の焼き付き緩和を目的として行う画像の移動において、画素を構成するＲＧＢのサブピクセル単位で画像の表示位置を移動させる表示位置制御ステップを含むことを特徴とする。
【発明を実施するための最良の形態】
【０００９】
以下、本発明に係る実施の形態について説明する。
本発明に係る実施の形態に係る焼き付き緩和装置は、画面の焼き付き緩和を目的として行う画像の移動において、画素を構成するＲＧＢのサブピクセル単位で画像の表示位置を移動させる表示位置制御手段を備えることを、その最良の実施の形態としている。
また、本発明に係る実施の形態に係る表示画面の焼き付き緩和方法は、画面の焼き付き緩和を目的として行う画像の移動において、画素を構成するＲＧＢのサブピクセル単位で画像の表示位置を移動させる表示位置制御ステップを含むことを、その最良の実施の形態としている。
上記構成の本発明の実施の形態に係る表示画面の焼き付き緩和装置及びその方法は、視聴時における画像品質の低下を低減しながら焼き付きを緩和することができるという効果を有し、特に、大型画面を有する表示装置において有用である。
【実施例】
【００１０】
以下、添付図面を参照しながら本発明の実施形態に係る表示画面の焼き付き緩和装置及び焼き付き緩和方法の具体的な実施例を挙げ詳細に説明する。
【００１１】
図２は、本発明の実施例における表示画面の焼き付き緩和装置を適用したテレビ受像機の回路構成を示す図である。一例として、１９２０×１０８０の画素構成のマトリクスディスプレイを有するテレビ受像機を用いて説明する。
【００１２】
テレビ受像機１００は、主に、デジタルチューナ１０、映像信号処理部２０、ＲＥＤ位置制御部３０、ＧＲＥＥＮ位置制御部３１、ＢＬＵＥ位置制御部３２、表示位置制御部４０、タイマー５０、ＣＰＵ６０、パネルコントロール部７０、プラズマディスプレイ８０、などで構成される。
【００１３】
デジタルチューナ１０は、生成したデジタル色差映像信号を映像信号処理部２０へ送出する。映像信号処理部２０は、映像信号に高画質化のための各種信号処理（例えば、インターレース信号のプログレッシブ変換など）を行う。また、映像信号のカラースペースをＲＧＢに変換し、表示デバイスの画素数１９２０×１０８０に拡大・縮小処理を行い、ＲＥＤ位置制御部３０へはＲＥＤ信号を、ＧＲＥＥＮ位置制御部３１へはＧＲＥＥＮ信号を、ＢＬＵＥ位置制御部３２へはＢＬＵＥ信号を、表示位置制御部４０へはＨ／Ｖ信号を送出する。なお、ＣＬＫ信号は、ＲＥＤ位置制御部３０、ＧＲＥＥＮ位置制御部３１、ＢＬＵＥ位置制御部３２、表示位置制御部４０の全てに送出される。
【００１４】
また、表示位置制御部４０は、ＲＥＤ信号の水平表示位置制御信号（RH_POSI）をＲＥＤ位置制御部３０へ、ＧＲＥＥＮ信号の水平表示位置制御信号（GH_POSI）をＧＲＥＥＮ位置制御部３１へ、ＢＬＵＥ信号の水平表示位置制御信号（BH_POSI）をＢＬＵＥ位置制御部３２へ、ＲＥＤ／ＧＲＥＥＮ／ＢＬＵＥ信号の共通垂直表示位置制御信号をＲＥＤ位置制御部３０、ＧＲＥＥＮ位置制御部３１、ＢＬＵＥ位置制御部３２へ出力する。
【００１５】
一方、タイマー５０は、ＣＰＵ６０からの制御により、画面表示位置を移動させるタイミングの制御を行う。具体的には、任意のタイミングで表示位置制御部４０へタイミング信号を送出する。
【００１６】
表示位置制御部４０は、映像信号処理部２０から出力されたＨ（水平同期信号）、Ｖ（垂直同期信号）、ＤＥ（データイネーブル信号）を基準にＲＥＤ、ＧＲＥＥＮ、ＢＬＵＥ信号の表示位置制御信号（RH_POSI/GH_POSI/BH_POSI/V_POSI）信号を生成する。表示位置制御部４０は、ＣＰＵ６０からの表示位置制御情報に従い、タイマー５０のタイミング信号をトリガーとして表示位置制御信号の生成の切り変えを行う。
【００１７】
表示位置制御信号には、画面の移動方向とＲＥＤ、ＧＲＥＥＮ、ＢＬＵＥ信号の移動順番に係る情報が含まれる。図３は、タイミング信号の入力によって表示位置制御信号を変化させる状況を説明するための図である。図に示すように、タイミング信号がトリガーとなり、ＲＥＤ信号（図３の（２））、ＧＲＥＥＮ信号（図３の（３））、ＢＬＵＥ信号（図３の（４））の順番で表示位置制御信号（RH_POSI/GH_POSI/BH_POSI/V_POSI）が変化し、画像はサブピクセル単位で画面に向かって左側へ移動する。なお、上記のように制御信号を変化させるためのシーケンスは、予め設定されたプログラムをＣＰＵ６０で実行することにより実現される。
【００１８】
図４は、本発明の実施例における表示画面の焼き付き緩和表示方法の原理を説明するための模式図（画素構成がストライプ配列の場合）である。プラズマディスプレイ８０では、上記の表示位置制御信号に基づいて、図に示すようにサブピクセル単位で画像が移動する。つまり、従来の画素単位での移動に比較して、一回の移動量が１／３となる。
【００１９】
以上のように、本発明の実施の形態に係る表示画面の焼き付き緩和装置を適用したテレビ受像機によれば、表示位置制御手段として、ＣＰＵ６０、タイマー５０、表示座標制御部４０、ＲＥＤ位置制御部３０、ＧＲＥＥＮ位置制御部３１、ＢＬＵＥ位置制御部３２が連携してサブピクセル単位で画像の表示位置を移動させるため、Ｒｅｄ、Ｇｒｅｅｎ、Ｂｌｕｅの各サブピクセルが時間をずらして個別に移動する。従って、一回の画像移動量が小さく、画像移動による視聴時の画像品質の低下を低減しながら焼き付きを緩和することができる。
【００２０】
なお、上記の実施例では、ストライプ配列のディスプレイを用いたので、任意カラーのサブピクセルを移動するときに画面上の縦の一列が動くような構成となったが、これにとらわれるものではなく、例えば、図５に示すような画素配列など、画素構成がストライプ配列以外の配列のディスプレイにも本発明が適用可能であることは言うまでもない。
【図面の簡単な説明】
【００２１】
【図１】従来の焼き付き緩和表示方法の原理を説明するための模式図である。
【図２】本発明の実施例における表示画面の焼き付き緩和装置を適用したテレビ受像機の回路構成を示す図である。
【図３】図２の回路において、タイミング信号の入力によって表示位置制御信号を変化させる状況を説明するための図である。
【図４】本発明の実施例における表示画面の焼き付き緩和表示方法の原理を説明するための模式図である（画素構成がストライプ配列）。
【図５】画素構成がストライプ配列以外の配列の一例を示す模式図である。
【符号の説明】
【００２２】
１０  デジタルチューナ
２０  映像信号処理部
３０  ＲＥＤ位置制御部
３１  ＧＲＥＥＮ位置制御部
３２  ＢＬＵＥ位置制御部
４０  表示位置制御部
５０  タイマー
６０  ＣＰＵ
７０  パネルコントロール部
８０  プラズマディスプレイ
【図１】
2007286216.tif 000003
【図２】
2007286216.tif 000004
【図３】
2007286216.tif 000005
【図４】
2007286216.tif 000006
【図５】
2007286216.tif 000007